(57)【要約】      （修正有）【課題】常時着用している眼鏡の上に重ねて、しかも位置ズレすることなく安定して掛けることが出来るメガネの提供。【解決手段】メガネはフロント部とその両側に折畳み出来るように取付けたテンプルを有し、フロント部の両側には所定の間隔をおいた２個の貫通穴８ａ，８ｂを対を成して設け、テンプルは概略半円形をしたカギ型継手を基部に有し、基部から二股に分かれた上片と下片が先端方向へ延びて間には空間を形成し、カギ型継手は中心の軸穴に上記両穴８ａ，８ｂの間に設けている軸部７が嵌って係合している。【選択図】図３
2020140054.tif 000002
【特許請求の範囲】
【請求項１】
常時着用している眼鏡の上に重ねて掛けることが出来るメガネにおいて、該メガネはフロント部とその両側に折畳み出来るように取付けたテンプルを有し、上記テンプルは概略半円形をしたカギ型継手を基部に設け、基部から二股に分かれた上片と下片が先端方向へ延びて間には空間を形成し、
該カギ型継手は中心の軸穴に上記フロント部に設けている軸部が嵌って係合していることを特徴とするメガネ。
【請求項２】
上記フロント部の両側には所定の間隔をおいた２個の貫通穴を対を成して設け、この両穴の間に上記軸部を形成し、上記カギ型継手の軸穴に該軸部を嵌めると共に、概略半円形のカギ型継手を両穴に係合してテンプルが旋回出来るように連結した請求項１記載のメガネ。
【請求項３】
上記テンプルを構成している上片及び下片の間隔（上下寸法）を基部側から順次拡大し、途中で縮小して先端部で交わるようにした請求項２記載のメガネ。
【請求項４】
上記上片の下面を傾斜した請求項１、請求項２、又は請求項３記載のメガネ。
【請求項５】
常時着用している眼鏡の上に重ねて掛けることが出来るメガネであって、該メガネのフロント部両側に折畳み出来るように取付けたテンプルにおいて、上記テンプルは概略半円形をしたカギ型継手を基部に有し、基部から二股に分かれた上片と下片が先端方向へ延びて間には空間を形成し、該カギ型継手は中心の軸穴に上記フロント部に設けた軸部が嵌って係合することが出来ることを特徴とするメガネのテンプル。
【発明の詳細な説明】
【技術分野】
【０００１】
本発明は、常時着用しているメガネの上に重ねて掛けることが出来る拡大鏡（ルーペ）、サングラス、又は現場の作業者が眼を守るために掛ける保護用メガネ、及びメガネのフロント部両側に取付けられるテンプル（ツル）に関するものである。
【背景技術】
【０００２】
メガネといってもその種類は色々あり、近眼の人が着用するメガネ、老人が着用するメガネ（老眼鏡）、眩しい光を遮るために着用するサングラス、さらには溶接作業する際の強烈な光から目を守ることが出来る保護用メガネなど、多種多様なメガネが知られている。
また、同じ用途のメガネであっても、その外観及びデザインは様々であり、無数に近い種類のメガネが存在している。
【０００３】
一方、近年では常日頃着用しているメガネの上に、拡大鏡として機能するルーペ型メガネが多用されている。この拡大鏡は普通のメガネのように顔に掛けることが出来るルーペであり、約１．３倍〜１．８倍の大きさが拡大されることで、新聞や雑誌などの小さい文字であっても読むことが出来る。すなわち、老眼鏡だけでは文字が小さいために読めない文字が、拡大されることでよく見えて読むことが出来る。
【０００４】
しかし、この拡大鏡（ルーペ）は、各自の視力が確保された上で着用するものであり、元々、視力のない人が拡大鏡だけを着用して使うことは出来ない。すなわち、視力を矯正することが出来るメガネを掛け、その上で該拡大鏡を着用する必要がある。
サングラスの場合も同じであり、視力に欠けている人は矯正用のメガネが必要となり、その上でサングラスを掛けなくてはならない。
【０００５】
図６は、拡大鏡（ルーペ型メガネ）を常時着用メガネの上に掛けた場合の使用態様を示しているように、該拡大鏡（イ）は着用しているメガネのフロント部（ロ）の上に係止して掛けることが出来る。
該拡大鏡（イ）も、その基本的な形態は従来のメガネと共通し、フロント部（ロ）と両テンプル（ハ）、（ハ）を有し、フロント部（ロ）はワタリ（ニ）にレンズ（ホ）を取付けた構造としている。そして、上記ワタリ（ニ）は常時着用してメガネのフロント部の上に載置され、テンプル（ハ）、（ハ）が頭部側面に係止することで落下することなく掛けることが出来る。
しかし、常時着用メガネの上に掛ける拡大鏡（イ）は安定せず、位置ズレし、時には顔から外れて落下することも多い。
【０００６】
近年、この種の拡大鏡は「ハズキルーペ」や「スマートアイ」と称されて市販されている。しかし、顔に掛けた際の安定性は乏しくて位置ズレし、時々掛けなおすことが必要となる。
特開２００１−３５０１２３号に係る「拡大鏡付きメガネ」は、外科医が手術の際に着用するメガネであり、拡大鏡の着脱が容易であってメガネと一体化している。すなわち、フロント部からはリンク体を延ばし、リンク体の先端には両側へ延びるアームを取着し、このアームに拡大鏡を取付けると共に、両拡大鏡間距離は自由に変えることが出来るようにしている。
しかし、この「拡大鏡付きメガネ」は、新聞や雑誌を読む際に常時掛けているメガネに組み合わせて着用するものではない。
【特許文献１】特開２００１−３５０１２３号に係る「拡大鏡付きメガネ」
【発明の開示】
【発明が解決しようとする課題】
【０００７】
このように、常日頃着用しているメガネの上に掛けることが出来るメガネには上記のごとき問題がある。本発明が解決しようとする課題はこの問題点であり、位置ズレすることなく、安定して掛けることが出来るメガネ、及びメガネを構成するテンプルを提供する。
ここで、対象とするメガネとしては、拡大鏡（ルーペ）のみならず、サングラス、作業時に使う保護用メガネも含まれる。
【課題を解決するための手段】
【０００８】
本発明に係るメガネは、フロント部と２本のテンプル（ツル）を有して構成し、基本的な構造は従来のものと共通しているが、特に上記テンプルの形態及び該テンプルの取付け構造に特徴を備えている。
テンプルは折畳み出来るようにフロント部に連結しているが、従来のような継手としての蝶番を用いておらず、テンプルの基部には概略半円形をしたカギ型継手を形成し、中心には軸穴を有している。
【０００９】
そして、フロント部の両側には所定の間隔をおいて貫通した２個の穴が対を成して設けられ、この２個の穴に上記半円形のカギ型継手が係合している。すなわち、概略半円形のカギ型継手の２か所が貫通した２個の穴に嵌り、両穴の間の軸部にカギ型継手の軸穴が嵌ってテンプルは旋回して折畳まれ、カギ形継手は２個の穴に沿って安定して回転摺動することが出来る。
ここで、カギ型継手の軸穴に嵌るフロント部に設けられる軸部は、必ずしも対を成す２個の穴の間に設ける場合に限定しない。
【００１０】
そして、上記テンプルは半円形のカギ型継手から先端方向へ延びているが、基部から上片と下片の２股に分かれて上方及び下方へ傾斜して延び、高さ寸法は次第に拡大し、上片と下片の間には空間が形成される。そして、最も高さ寸法が最大になったところで上片及び下片は先端部側に向いて上方及び下方へ傾斜して延びることで高さ寸法は縮小し、先端部にて互いに交わって１本となる。ただし、上片及び下片が傾斜する形状に関しては限定しない。
【００１１】
ところで、テンプルの取付け方法は、縦寸法の小さい先端をフロント部に設けた貫通穴を挿通し、半円形のカギ型継手が２個の穴に嵌合すると共に軸穴に軸部が嵌るまで押し込まれる。
カギ型継手は周囲が２個の穴にガイドされ、軸穴には軸部が嵌ることで、安定して旋回し、テンプルはガタ付くことなく折畳まれる。
【００１２】
テンプルは間に空間を有し、傾斜する上片と下片から成っていることで、上下片は撓み変形して貫通穴を挿通することが出来る。そして、一旦、２個の貫通穴に嵌合した継手は、外れないように取付けられる。
また、フロント部の側端に２個の貫通穴を設けることなく軸部を設けている場合には、カギ型継手の軸穴に直接嵌ることが出来る。
【発明の効果】
【００１３】
本発明に係るメガネの基本的な形態はフロント部と２本のテンプルから成り、従来のものと共通する。そして、テンプルは概略半円形のカギ型継手から上片と下片に分かれ、間には空間が形成されていることで、常時着用しているメガネのテンプルが該空間に嵌って係合する。したがって、上に重なって掛けるメガネのテンプルは位置決めされ、ズレることなく安定する。
しかも、上記空間に嵌ることでテンプルが押圧されることはなく、長時間にわたって着用しても顔の側面に痛みを感じることはない。
【００１４】
本発明のメガネを構成しているテンプルのカギ型継手は概略半円形とし、フロント部に対を成して貫通した２個の穴に継手が係合し、安定して旋回して折畳み出来るように連結している。すなわち、フロント部の両側にはヨロイ部はなく、その為に折畳まれたテンプルはフロント部に殆ど隙間なく収まり、コンパクトに折畳まれる。
勿論、従来のメガネ用のテンプル継手構造に比較して簡単であり、製作コストは安くなる。
【図面の簡単な説明】
【００１５】
【図１】本発明に係るメガネの実施例で、（ａ）は平面図、（ｂ）は正面図を表している。
【図２】本発明に係るメガネの実施例で、側面図を表している。
【図３】フロント部の側部に２個の貫通穴を対を成して設けた場合。
【図４】本発明に係るメガネのテンプルを示す具体例。
【図５】テンプルを構成する上片の断面拡大図。
【図６】常時着用しているメガネの上に別のメガネを重ねて掛けた従来の使用例。
【発明を実施するための形態】
【００１６】
図１、図２は本発明に係るメガネを示す実施例であり、図１の（ａ）は平面図、（ｂ）は正面図、図２は側面図をそれぞれ表している。同図の１はフロント部、２はテンプルを示し、該フロント部１はレンズ３から成り、レンズ３は連続した左右のレンズ部３ａ，３ｂを有している。
レンズ３の中央部下側には凹部４が形成され、この凹部４には鼻当てパット５を取付けている。
【００１７】
そして、フロント部１を構成しているレンズ３の両側には上記テンプル２，２が連結し、テンプル２，２は折畳まれる。
同図に示しているように、従来から多用されている蝶番型式を成す一般的な継手ではなく、上記テンプル２の基部に設けている概略半円形をしたカギ型継手６がフロント部１のレンズ３に形成している軸部７に係合している。したがって、テンプル２は軸部７を中心として旋回し、折畳まれる。
【００１８】
図３はレンズ３の側部を表している拡大図であり、所定の間隔をおいて設けた２個の穴８ａ，８ｂが貫通している。そして、両穴８ａ，８ｂの間にはテンプル２のカギ型継手６が係合する軸部７を有している。
図１（ａ）に示しているように、概略半円形をしたカギ型継手６は軸部７に係合し、該軸部７を中心としてテンプル２は旋回することが出来、そしてテンプル２は折畳まれる。
この場合、レンズ３には２個の穴８ａ，８ｂが対を成して貫通していることで、半円形のカギ型継手６は軸部７に嵌るだけでなく、両穴８ａ，８ｂにガイドされて旋回し、その為にテンプル２の折畳み操作は安定する。
【００１９】
図４にはテンプル２の具体例を表しているように、全体の形状は概略弓型を有し、基部にはカギ型継手６を形成している。カギ型継手６は概略半円形をなし、中心には軸穴９を有し、この軸穴９に上記フロント部１の軸部７が嵌ってテンプル２は連結することが出来る。
また、カギ型継手６は２個の穴８ａ，８ｂに係合してガイドされる。そして、テンプル２の先端部１０は基部に設けたカギ型継手６より内側へ撓み変形し、該メガネを着用した場合には後頭部を抱き込むことが出来る。
【００２０】
該テンプル２の正面図を図２に示しているように、大きな空間１１を形成している。テンプル２は基部にカギ型継手６を有し、該カギ型継手６から上片１２と下片１３の二股に分かれ、基部側上片１２ａは僅か上方へ傾斜して延び、基部側下片１３ａは僅か下方へ傾斜して延びている。したがって、テンプル２の高さ寸法は途中まで順次拡大している。
また、上片１２は途中から先端側上片１２ｂが下方へ傾斜して延びている。同じく、先端側下片１３ｂは上方へ傾斜して延びてテンプル２の高さ寸法は縮小し、先端部にて先端側上片１２ｂと先端側下片１３ｂは交わって先端部１０を形成している。
【００２１】
このように、テンプル２は互いに分離した２本の上片１２と下片１３にて構成され、その為に上片１２と下片１３の間には空間１１を有している。比較的細い上片１２及び下片１３は弾性に優れ、その為に外力が働くならば撓み変形することが出来、例えば、上方及び下方からの外力の作用で上片１２と下片１３の間隔は縮小する。勿論、メガネを掛けた場合にテンプル２の外方向への撓み変形にて後頭部を適度な押圧力にて抱き込むことが出来る。
【００２２】
ところで、テンプル２をフロント部１に取付ける場合、細く成っている先端部１０を穴８ｂから挿入して押し込む。この際、先端側上片１２ｂと先端側下片１３ｂの間隔は拡大するが、上片１２と下片１３は撓み変形することで穴８ｂに押し込むことが出来る。
途中でテンプル２の上片１２と下片１３の間隔は最大と成るが、途中から基部側にかけて細くなり、基部に形成しているカギ型継手６に設けている軸穴９に軸部７が嵌ることが出来る。
【００２３】
概略半円形をしたカギ型継手６は、その軸穴９に軸部７が嵌ると共に、両穴８ａ，８ｂに跨って外周部は係合することが出来、カギ型継手６はガタ付くことなく安定する。そして、一旦、カギ型継手６が両穴８ａ，８ｂに係合して取付けられたならば、容易には外れることはない。すなわち、基部から延びる上片１２及び下片１３の高さ寸法が拡大することで、該テンプル２が穴８ｂから抜け出すことは出来ない。
【００２４】
図５は図２における上片１２の断面拡大図を表している。同図に示しているように、基部付近と先端側のＡ−Ａ断面は正方形断面を有し、その他の領域であるＢ−Ｂ断面では台形断面とし、下面１４は傾斜している。
ところで、本発明のメガネを掛ける場合、常時着用しているメガネのテンプル（ヘ）がテンプル２に形成している空間１１に嵌って位置決めされる。そして、上片１２の下面１４は傾斜していることで、傾斜した下面１４がテンプル（ヘ）に係止することが出来、上片１２が位置ズレすることなく、着用したメガネは安定する。
【００２５】
前記実施例では、樹脂製のメガネを具体例として説明したが、金属製フレームとして構成することも可能である。そして、フロント部１の形態は特に限定せず、レンズ３の形状に関しても自由である。
【符号の説明】
【００２６】
１   フロント部
２   テンプル
３   レンズ
４   凹部
５   鼻当てパット
６   カギ型継手
７   軸部
８   穴
９   軸穴
10   先端部
11   空間
12   上片
13   下片
14   下面
【図１】
2020140054.tif 000003
【図２】
2020140054.tif 000004
【図３】
2020140054.tif 000005
【図４】
2020140054.tif 000006
【図５】
2020140054.tif 000007
【図６】
2020140054.tif 000008